(57)【特許請求の範囲】
【請求項１】
手袋の表面に配置され、
染色剤を貯留する液溜空間を有するギャザー折り布と、前記ギャザー折り布又は前記手袋に固定された突起と、
からなり、
前記ギャザー折り布が、前記突起の頭皮への当接を阻害しないことを特徴とする髪染め補助具。
【請求項２】
手袋と、前記手袋の表面に固定、配置された請求項１に記載の髪染め補助具と、からなることを特徴とする髪染め用手袋。
【請求項３】
手袋の表面に立設された突起に配置され、染色剤を貯留する液溜空間を有し、前記突起の端部より前記手袋側に位置するギャザー折り布であって、
前記突起の端部の頭皮への当接を阻害しないことを特徴とする髪染め補助具。
【請求項４】
手袋と、前記手袋の表面に立設された突起に掛止、配置された髪染め補助具と、からなり、
前記髪染め補助具が、
手袋の表面に立設された突起に配置され、染色剤を貯留する液溜空間を有し、前記突起の端部より前記手袋側に位置する布であって、
前記突起の端部の頭皮への当接を阻害しないことを特徴とする髪染め用手袋。
【請求項５】
前記突起が、前記手袋の表面に立設する軸と前記軸の先端に位置する前記軸より大径の拡張部で形成され、前記拡張部と前記手袋の間の前記軸周辺にも染色剤を貯留する液溜空間を有することを特徴とする請求項４に記載の髪染め用手袋。
【請求項６】
前記布は、ギャザー折りされていることを特徴とする請求項４又は請求項５に記載の髪染め用手袋。
【請求項７】
手袋の表面に立設された突起に掛止され、前記突起の周囲に染色剤を貯留する液溜空間を有し、先端が前記突起の端部より前記突起の根元側に位置し、前記突起の端部の頭皮への当接を阻害しないことを特徴とする髪染め補助具。
【請求項８】
前記突起を囲む輪部と、前記突起の先側に向け前記輪部から放射状に突設された複数の枝とかなり、
前記液溜空間が、前記複数の枝で囲まれた空間であることを特徴とする請求項７に記載の髪染め補助具。
【請求項９】
請求項８に記載の髪染め補助具と、請求項８に記載の髪染め補助具の前記液溜空間内に位置する、請求項８に記載の髪染め補助具の前記枝より枝が短い第二の髪染め補助具と、からなることを特徴とする髪染め補助具。
【請求項１０】
前記突起を囲む輪部と、前記突起の先側に向け前記輪部から弧状に突設された複数の柵と、前記複数の柵の端部を連結し前記突起を囲む第二輪部とかなる袋状であって、
前記液溜空間が、前記複数の柵で囲まれた空間であることを特徴とする請求項７に記載の髪染め補助具。
【請求項１１】
請求項７〜請求項１０のいずれか１項の髪染め補助具を、前記手袋の表面の前記突起に取り付けた髪染め用手袋であって、
前記髪染め補助具の先端を、前記突起の端部より前記突起の根元側に位置し、前記突起の端部が頭皮に当接することを特徴とする髪染め用手袋。
【請求項１２】
前記突起が、前記手袋の表面に立設する軸と前記軸の先端に位置する前記軸より大径の拡張部で形成されてなり、
前記拡張部により、前記髪染め補助具の脱落を防ぐことを特徴とする請求項１１に記載の髪染め用手袋。
【発明の詳細な説明】
【技術分野】
【０００１】
本発明は、美容、理容用のカラー剤、白髪染剤などの髪染剤を、髪の根元にまでも効率的かつ頭皮への付着を少量に抑えて髪に塗布する髪染め補助具、及びそれを用いた髪染め用手袋に関する。
【背景技術】
【０００２】
従来の髪染めには、髪に直接髪染剤を塗布してコームで塗り拡げる方式、ブラシ、コームに二液タイムの染色剤を付着させて髪に塗布、すき込む方式が一般的である。他方、歯から染色剤が湧き出て髪に塗る装置もある。
【０００３】
髪染めに特化したクシが、など、いくつか開発されている。しかし、いずれも、染色剤を多量に使用し、頭皮にも多量に染色剤が付着する。例えば、定期的に髪染めする者は、髪の根元だけに染色剤を塗布すれだけでもよいが、理髪店等では、染色剤を髪全体に塗り広げられ、多量に使用されることもある。
【０００４】
他方、特許文献１には、
「毛髪に染毛液を塗布するときに染毛液を頭皮、顔、額、首筋等に付けずに、さらには衣服等を汚さずに毛髪をむらなく綺麗に手軽に染めることができる染毛用具であって、
不透液性の手袋または指サックに、連続した空隙を有するシートに穴およびまたは溝が複数配置された塗布部材を貼付したことを特徴とする染毛用具。さらに、穴または溝は、一般的に粘度の高い染毛液を充分な量付着保持でき，更に毛髪への塗布に際しては付着保持した染毛液を手袋または指サック越しに手または指を使って毛髪に押付けて擦りつけたり指と指で毛髪を挟んで摺り込むようにして付けたりする時にスムーズに染毛液を毛髪に移行できる大きさである染毛用具。」
が開示されている。
しかしながら、指を使って毛髪に押付けて擦りつける際に、頭皮側に押しつけたならば髪染剤が頭皮に多量に塗布されることとなる。また、指と指で毛髪を挟んで摺り込むだけでは、髪の根元への染色が十分にできない。さらに、染色に指先だけを使用したならば、一度に染色できる部分は狭い領域で、頭髪全体の染色には長時間を要し、とても効率的ではない。
【先行技術文献】
【特許文献】
【０００５】
【特許文献１】特開２００５−２７０５３９号公報
【発明の概要】
【発明が解決しようとする課題】
【０００６】
そこで、本発明は、美容、理容用のカラー剤、白髪染剤などの髪染剤を、髪の根元にまでも効率的かつ頭皮への付着を少量に抑えて髪に塗布する髪染め補助具、及びそれを用いた髪染め用手袋を提供することを目的とする。
【課題を解決するための手段】
【０００７】
本発明は、上記課題を解決するために、
（１）
手袋の表面に配置され、
染色剤を貯留する液溜空間を有するギャザー折り布と、前記ギャザー折り布又は前記手袋に固定された突起と、
からなり、
前記ギャザー折り布が、前記突起の頭皮への当接を阻害しないことを特徴とする髪染め補助具。
（２）
手袋と、前記手袋の表面に固定、配置された（１）に記載の髪染め補助具と、からなることを特徴とする髪染め用手袋。
（３）
手袋の表面に立設された突起に配置され、染色剤を貯留する液溜空間を有し、前記突起の端部より前記手袋側に位置するギャザー折り布であって、
前記突起の端部の頭皮への当接を阻害しないことを特徴とする髪染め補助具。
（４）
手袋と、前記手袋の表面に立設された突起に掛止、配置された髪染め補助具と、からなり、
前記髪染め補助具が、
手袋の表面に立設された突起に配置され、染色剤を貯留する液溜空間を有し、前記突起の端部より前記手袋側に位置する布であって、
前記突起の端部の頭皮への当接を阻害しないことを特徴とする髪染め用手袋。
（５）
前記突起が、前記手袋の表面に立設する軸と前記軸の先端に位置する前記軸より大径の拡張部で形成され、前記拡張部と前記手袋の間の前記軸周辺にも染色剤を貯留する液溜空間を有することを特徴とする（４）に記載の髪染め用手袋。
（６）
前記布は、ギャザー折りされていることを特徴とする（４）又（５）に記載の髪染め用手袋。
（７）
手袋の表面に立設された突起に掛止され、前記突起の周囲に染色剤を貯留する液溜空間を有し、先端が前記突起の端部より前記突起の根元側に位置し、前記突起の端部の頭皮への当接を阻害しないことを特徴とする髪染め補助具。
（８）
前記突起を囲む輪部と、前記突起の先側に向け前記輪部から放射状に突設された複数の枝とかなり、
前記液溜空間が、前記複数の枝で囲まれた空間であることを特徴とする（７）に記載の髪染め補助具。
（９）
（８）に記載の髪染め補助具と、（８）に記載の髪染め補助具の前記液溜空間内に位置する、（８）に記載の髪染め補助具の前記枝より枝が短い第二の髪染め補助具と、からなることを特徴とする髪染め補助具。
（１０）
前記突起を囲む輪部と、前記突起の先側に向け前記輪部から弧状に突設された複数の柵と、前記複数の柵の端部を連結し前記突起を囲む第二輪部とかなる袋状であって、
前記液溜空間が、前記複数の柵で囲まれた空間であることを特徴とする（７）に記載の髪染め補助具。
（１１）
（７）〜（１０）のいずれか１の髪染め補助具を、前記手袋の表面の前記突起に取り付けた髪染め用手袋であって、
前記髪染め補助具の先端を、前記突起の端部より前記突起の根元側に位置し、前記突起の端部が頭皮に当接することを特徴とする髪染め用手袋。
（１２）
前記突起が、前記手袋の表面に立設する軸と前記軸の先端に位置する前記軸より大径の拡張部で形成されてなり、
前記拡張部により、前記髪染め補助具の脱落を防ぐことを特徴とする（１１）に記載の髪染め用手袋。
の構成とした。
【発明の効果】
【０００８】
本発明は以上の構成であるから、美容、理容用のカラー剤、白髪染剤などの髪染剤を、髪の根元にまでも効率的かつ頭皮への付着を少量に抑えて髪に塗布する髪染め補助具、及びそれを用いた髪染め用手袋を提供する。特に、白髪染めにおいて、髪が伸びたとき、頭皮への付着を少量に抑え、髪の根元部分を集中的に染色するのに好適である。
【図面の簡単な説明】
【０００９】
【図１】本発明である髪染め用手袋の第一の例の腕１４に着用時の斜視図である。
【図２】本発明である髪染め用手袋の第二の例の着用時の斜視図である。
【図３】本発明である髪染め補助具の説明図である。図３（Ａ）第一の髪染め補助具を構成する布の平面図である。図３（Ｂ）は手袋に髪染め補助具の第一の例を固定、配置した髪染め用手袋の第一の例の指部の縦面図である。図３（Ｃ）は手袋の突起に髪染め補助具の第一の例を構成する布（髪染め補助具）を掛止、配置した髪染め用手袋の第三の例の指部の縦面図である。
【図４】本発明である髪染め用手袋の第四の例（髪染め補助具の第二の例）の縦部分断面・透視図である。髪染め用手袋（一部分）の１本の突起に取り付けた状態を示している。図６及び図７においても同じである。
【図５】髪染め用手袋の第四の例（髪染め補助具の第二の例）の使用状態を示す模式図である。図５（Ａ）は使用前の部分断面図、図５（Ｂ）は染色剤１２に髪染め補助具３を浸漬している様子を示している。図５（Ｃ）は、先の染色後に伸びた部分（白髪）で、染色剤１２を塗布する部分（Ｃ１）と、染色済み部分（Ｃ２）を示している。塗布するときは、突起２４ｂの端部２４ｆを頭皮１０に当接することで、染色剤１２を貯留する液溜空間３ｅ（染色剤１２）に頭皮１０が接触せず、染色剤１２の頭皮１０への付着を少量化することができる。頭皮１０の負担が軽減する。
【図６】本発明である髪染め用手部の第五の例（髪染め補助具の第三の例）の縦部分断面・透視図である。
【図７】本発明である髪染め補手部の第六の例（髪染め補助具の第四の例）の縦部分断面・透視図である。
【発明を実施するための形態】
【００１０】
以下、添付の図面を参照し、本発明の実施の形態について詳細に説明する。なお、本発明は以下の実施例に限定されるものはない。
【実施例１】
【００１１】
図１に示すように、本発明である髪染め用手袋２１は、手袋２２と、髪染め補助具８とからなる。髪染め補助具８は、布８ａと突起８ｂからなる。
【００１２】
手袋２２としては、染色作業中において、薬品が手袋を通過して手袋内部の手に付着しないような、薬品非浸透性（非透過性、水密性）、繰り返し使用可能な染色剤に対する耐薬品・耐溶剤性、耐劣化性を備えた、天然・合成ゴム、樹脂或いはプラスチック製手袋が好適である。
【００１３】
手袋２２の素材としては、例えば、クロロプレンゴム、クロロスルホン化ポリエチレンゴム、ニトリルゴム、ポリウレタンゴム、ブチルゴム、フッ素ゴム、シリコンゴム、ポリ塩化ビニル、ポリビニルアルコール、ポリエチレン製などが例示できる。
【００１４】
布８ａは、手袋２２の手の平側２２ａに配置され、毛髪の染色剤を貯留する液溜空間を有する。液溜空間は、布の編み目の間、糸の間の空間である。従って、布８ａは、糸を用いて、規則的に編んだもの、或いは不織布であってもよい。そして、後述するように、布８ａは、突起８ｂの頭皮への当接を阻害しない。
【００１５】
突起８ｂは、布８ａ又は手袋２２に固定される、例えば、ビーズ、疑似真珠などが例示できる。突起８ｂの頭皮への当接、洗浄を考慮すると、球体の接着固定が好適である。
【００１６】
髪染め補助具８は、より詳しくは、図１に示すように、手袋２２の手の平側２２ａの指部に複数配置されているが、手の平側２２ａ、指先、指の側面など、配置場所、配置数は任意である。
【００１７】
また、布８ａは、糸で編まれ、図３（Ａ）に示すように、中央に穴８ｃが穿設され、中心から縁に向かって縫い縮めたヒダ（穴８ｃに沿った縁部を糸で縫い縮める）、或いは折りたたみ形成している（ギャザー８ｄ）。布８ａにギャザー８ｄを形成することで、糸の間、縫い目のほかに、さらにギャザーの折り畳み部に、染色剤が充填され、染色剤を１度充填すると、広範囲の髪に染色剤を塗布できて、作業性がよい。布８ａの平面形状は、特に限定されるものではなく、円形でも、角形でも構わない。
【００１８】
布８ａの手袋２２への固定は、図３（Ｂ）に示すように、接着剤２２ｂなどで布８ａに直接接着、或いは突起８ｂを手袋２２に接着剤２２ｂで接着させることで、その間に介在した布８ａを固定する方法が例示できる。
【００１９】
突起８ｂの固定は、布８ａへの固定、或いは手袋２２への固定、いずれであってもよい。突起８ｂの布８ａへの固定では接着剤２２ｂによる接着、或いは糸による縫製などが例示でき、或いは突起８ｂの手袋２２への固定では接着剤２２ｂによる接着などが例示できる。接着剤２２ｂは、染色剤に耐性があれば特に限定されないが、ゼリー状の瞬間接着剤が扱い安い。
【実施例２】
【００２０】
図２に示すように、本発明である髪染め用手袋２１ａは、手袋２３と、突起２３ｄからなる。突起２３ｄは、手袋２３の手の平側２３ａに立設する軸２３ｃと軸２３ｃの先端に位置し、軸２３ｃより大径の拡張部２３ｂからなる。その結果、拡張部２３ｂと手袋２３の間の軸２３ｃの周辺に染色剤を貯留する液溜空間２３ｅが形成される。従って、突起２３ｄは、髪染め補助具といえる。手袋２３は、手袋２２に、突起２３ｄを備えるものである。
【００２１】
突起２３ｄは、より詳しくは、図２に示すように、手袋２３の手の平側２３ａの指部に複数配置されているが、手の平側２３ａ、指先、指の側面など、配置場所、配置数は任意である。
【実施例３】
【００２２】
図３（Ｃ）に示すように、本発明である髪染め用手袋２１ｂは、実施例２の髪染め用手袋２１ａの突起２３ｄに、図３（Ａ）に示す布８ａの穴８ｃを軸２３ｃに位置させ、掛止したものである。すなわち、布８ａは突起２３ｄの端部より手袋２３側に位置する。布８ａ（髪染め補助具）は、拡張部２３ｂによって簡単に脱落しない。
【００２３】
図４に示すように、本発明である髪染め用手袋２１ｃは、手袋２４（一部分）と、髪染め補助具３とからなる。手袋２４は、手袋２２に突起２４ｂが立設してなる。主に、手の平側２４ａに立設する。
【００２４】
本発明の髪染め補助具は、手袋の表面に立設された突起に掛止され、突起の周囲に染色剤を貯留する液溜空間を有し、先端が前記突起の端部より突起の根元側に位置し、突起の端部の頭皮への当接を阻害しないものである。
【００２５】
突起の端部と髪染め補助具の先端との距離が、１ｍｍ〜３ｍｍの範囲が最も好ましい。突起の端部が頭皮に当接することで、頭皮への染色剤の塗布量を抑えることができるとともに、髪の根元にも十分に染色剤が拡散、浸透、行き渡る。
【００２６】
図４に示すように、髪染め補助具３は、突起２４ｂを囲む輪部３ａと、突起２４ｂの先側に向け輪部３ａから放射状に突設された複数の枝３ｃとかなり、液溜空間３ｅが、複数の枝３ｃで囲まれた空間に形成される。
【００２７】
髪染め補助具３の装着数は、突起２４ｂの間隔、髪染め補助具３の大さ、染色剤１２を塗布する場所、範囲などにより、適宜選択する。さらに、髪染め補助具３が突起２４ｂに対して、着脱可能式であれば使用の都度、髪染め補助具３の設置位置、数を変更することもできる。
【００２８】
ここでは、突起２４ｂは、軸２４ｃとその先端に位置する拡張部２４ｅからなり、段差２４ｄを形成する。軸２４ｃに輪部３ａを嵌め、段差２４ｄで輪部３ａが掛止されることで、髪染め補助具３は容易に脱落しない。
【００２９】
髪染め用手袋２１ｃは、図５に示すように使用される。図５（Ａ）に示す髪染め補助具３を、図５（Ｂ）に示すように、容器１３などに溜めたペースト状の染色剤１２（白髪染め、二液混合するヘアーカラー剤など）と接触させ、髪染め補助具３の液溜空間３ｅに染色剤１２を充填する。染色剤１２は、液溜空間３ｅに、毛細管現象、表面張力、あるいは染色剤１２の粘度により充填保持される。
【００３０】
そして、液溜空間３ｅに染色剤１２が貯留されることで、髪１１に直接的に染色剤１２を塗布して、櫛などで塗り拡げる必要がなく、一度の染色剤１２の貯留で、髪染め用手袋２１ｃを図５（ｃ）に示すように位置させ、指１４ａを左右に小刻みに揺らすことで、髪１１の根元部分の新たに伸びた染色されていない髪１１部分（Ｃ１範囲）が染色剤１２に接触し、広範囲の髪１１の根元部分に短時間で染色剤１２を塗布することができる。他方、染色を必要としない染色済み髪１１部分（Ｃ２）への染色を必要とせず、髪染め作業を容易にすることができる。
【実施例４】
【００３１】
図６に示すように、本発明である髪染め用手袋２１ｄは、手袋２４（一部分）と、髪染め補助具３及び髪染め補助具３の液溜空間内に配置した第二の髪染め補助具４とからなる。髪染め補助具３及び髪染め補助具４のセットで、髪染め補助具７を構成する。
【００３２】
髪染め補助具４は、髪染め補助具３において、枝４ｃが枝３ｃより短いだけである。すなわち、髪染め補助具４は、輪部３ａと突起２４ｂの端部２４ｆとの間に位置し、突起２４ｂを囲む輪部４ａと、突起２４ｂの先側に向け輪部４ａから放射状に突設された複数の枝４ｃとかなり、液溜空間４ｅが、複数の枝４ｃで囲まれた空間に形成される。先端４ｄは、突起２４ｂの端部２４ｆより突起２４ｂの根元側に位置する。さらに、枝３ｃの先端３ｄより突起２４ｂの根元側に位置するとよい。加えて、図６では、髪染め補助具３，４を二重で使用しているが、ささらに髪染め補助具を加えて、三重、四重にして使用してもよい。
【００３３】
この場合、枝４ｃと枝３ｃの間も液溜空間３ｅであるが、髪染め補助具４があることで、髪染め補助具３単品より、液溜空間への染色剤１２の充填が容易になり、安定して保持される。毛細管現象、表面張力、あるいは染色剤１２の粘度による吸着、絡め取り、或いはそれらが複合的に向上したためと思われます。
【実施例５】
【００３４】
図７に示すように、本発明である髪染め用手袋２１ｅは、手袋２４（一部分）と、髪染め補助具５からなる。髪染め補助具５は、図７に明示するように、突起２４ｂを囲む輪部５ａと、突起２４ｂの先側に向け輪部５ａから弧状に突設された複数の柵５ｃと、複数の柵５ｃの端部を連結し、突起２４ｂを囲む第二輪部５ｂとかなる袋状である。
【００３５】
複数の柵５ｃで囲まれた空間に液溜空間５ｅが形成され、図５（Ｂ）と同様に操作することで柵５ｃの隙間から染色剤１２が液溜空間５ｅに充填される。
【００３６】
第二輪部５ｂの先端５ｄは、突起２４ｂの端部２４ｆより、突起２４ｂの根元側に位置する。突起２４ｂの端部２４ｆの頭皮１０への当接を邪魔しない。
【００３７】
髪１１は、その根元が、柵５ｃで囲まれ空間の液溜空間５ｅに充填、保持された染色剤１２に触れて、髪１１の根元が集中的に染められる。
【符号の説明】
【００３８】
３        髪染め補助具
３ａ      輪部
３ｃ      枝
３ｄ      先端
３ｅ      液溜空間
４        髪染め補助具
４ａ      輪部
４ｃ      枝
４ｄ      先端
４ｅ      液溜空間
５        髪染め補助具
５ａ      輪部
５ｂ      第二輪部
５ｃ      柵
５ｄ      先端
５ｅ      液溜空間
７        髪染め補助具
８        髪染め補助具
８ａ      布
８ｂ      突起
８ｃ      穴
８ｄ      ギャザー
１０      頭皮
１１      髪
１２      染色剤
１３      容器
１４      腕
１４ａ    指
２１      髪染め用手袋
２１ａ    髪染め用手袋
２１ｂ    髪染め用手袋
２１ｃ    髪染め用手袋
２１ｄ    髪染め用手袋
２１ｅ    髪染め用手袋
２２      手袋
２２ａ    手の平側
２２ｂ    接着剤
２３      手袋
２３ａ    手の平側
２３ｂ    拡張部
２３ｃ    軸
２３ｄ    突起
２３ｅ    液溜空間
２４      手袋
２４ａ    手の平側  
２４ｂ    突起
２４ｃ    軸
２４ｄ    段差
２４ｅ    拡張部
２４ｆ    端部
【図１】
0006854857.tif 000002
【図２】
0006854857.tif 000003
【図３】
0006854857.tif 000004
【図４】
0006854857.tif 000005
【図５】
0006854857.tif 000006
【図６】
0006854857.tif 000007
【図７】
0006854857.tif 000008